(57)【要約】【課題】編集時又は撮影時に、編集又は撮影された広告映像（オリジナル映像）と変換処理を施された広告映像（変換後映像）とを比較することを可能とする再生表示システム等を提供する。【解決手段】本発明は、ネットワークを介して配信するために映像情報を変換した結果を再生表示する再生表示システムでに関する。本発明に係る再生表示システムは、映像情報に対して、入力された映像情報の配信方式に応じた所定の変換処理を施す変換処理部２４、２６、２７と、映像情報と所定の変換処理を施した変換後映像情報とを同期させて出力する出力部３２とを具備する。【選択図】  図２
2005026986.tif 000002
【特許請求の範囲】
【請求項１】
ネットワークを介して配信するために映像情報を変換した結果を再生表示する再生表示システムであって、
前記映像情報に対して、入力された該映像情報の配信方式に応じた所定の変換処理を施す変換処理部と、
前記映像情報と、前記所定の変換処理を施した変換後映像情報とを同期させて出力する出力部とを具備することを特徴とする再生表示システム。
【請求項２】
前記変換処理部は、前記配信方式と、前記映像情報を構成する画像情報の劣化効果とを関連付けて記憶しており、
前記所定の変換処理は、入力された前記配信方式に応じて、前記画像情報に対して、前記画像情報の劣化効果を付加する処理であることを特徴とする請求項１に記載の再生表示システム。
【請求項３】
前記変換処理部は、前記配信方式と、前記映像情報を構成する音声情報の劣化効果とを関連付けて記憶しており、
前記所定の変換処理は、入力された前記配信方式に応じて、前記音声情報に対して、前記音声情報の劣化効果を付加する処理であることを特徴とする請求項２に記載の再生表示システム。
【請求項４】
入力された前記映像情報の表示サイズを変更するサイズ変更部を具備し、
前記変換処理部は、表示サイズを変更された前記映像情報に対して、前記配信方式に応じた前記所定の変換処理を施し、
前記出力部は、表示サイズを変更された前記映像情報と前記変換後映像情報とを同期させて出力することを特徴とする請求項１乃至３のいずれか一項に記載の再生表示システム。
【請求項５】
入力された前記配信方式に応じて、前記画像情報の劣化率を演算する演算部を具備し、
前記出力部は、さらに前記画像情報の劣化率を出力することを特徴とする請求項２に記載の再生表示システム。
【請求項６】
入力された前記配信方式に応じて、前記音声情報の劣化率を演算する演算部を具備し、
前記出力部は、さらに前記音声情報の劣化率を出力することを特徴とする請求項３に記載の再生表示システム。
【請求項７】
変更された前記映像情報の表示サイズに応じて、前記映像情報量の減少率を演算する演算部を具備し、
前記出力部は、さらに前記映像情報量の減少率を出力することを特徴とする請求項４に記載の再生表示システム。
【請求項８】
前記変換処理部は、前記映像情報に対して、複数の前記配信方式に応じた複数の前記所定の変換処理を施し、
前記出力部は、複数の前記所定の変換処理を施した複数の前記変換後映像情報を出力することを特徴とする請求項１乃至７のいずれか一項に記載の再生表示システム。
【請求項９】
前記配信方式は、前記映像情報の圧縮方式と、前記ネットワーク上のデータレートと、前記映像情報を構成する画像情報のフレームレートとを含むことを特徴とする請求項１乃至８のいずれか一項に記載の再生表示システム。
【請求項１０】
前記配信方式は、さらに、前記映像情報を構成する音声情報のサンプリングレートを含むことを特徴とする請求項９に記載の再生表示システム。
【請求項１１】
コンピュータを、ネットワークを介して配信するために映像情報を変換した結果を再生表示するように動作させるプログラムであって、
前記映像情報に対して、入力された該映像情報の配信方式に応じた所定の変換処理を施す工程と、
前記映像情報と、前記所定の変換処理を施した変換後映像情報とを同期させて出力する工程とを有することを特徴とするプログラム。
【発明の詳細な説明】
【０００１】
【発明の属する技術分野】
本発明は、ネットワークを介して配信するために映像情報（例えば、広告映像）を変換した結果を再生表示する再生表示システム及びプログラムに関する。
【０００２】
【従来の技術】
従来から、ＡＤＳＬ網や光ファイバ網等のブロードバンドネットワークを介した広告映像のコンピュータへの配信（インターネットＣＭの配信）が知られている。図１０を参照して、かかる従来の広告映像の配信方法について説明する。
【０００３】
図１０に示す広告映像の配信方法の例では、撮影者が、ステップ１００１において、広告映像を撮影し、編集者が、ステップ１００２において、撮影された広告映像を編集する。
【０００４】
また、ステップ１００３において、編集者又は配信サービス提供者（例えば、インターネットサービスプロバイダ等）は、編集された状態で記録媒体（ビデオテープ等）に保存されて引き渡された広告映像に対して所定の変換処理（例えば、符号化処理や圧縮処理）を施す。
【０００５】
その後、ステップ１００４において、所定の変換処理が施された広告映像の品質チェックが行われる。かかる品質チェックの方法の一例を図１１に示す。
【０００６】
図１１に示すように、かかる品質チェックは、２台のモニタＡ及びＢと、所定の変換処理を施した広告映像を再生するための再生用ＰＣとによって行われる。具体的には、モニタＡによって表示されるオリジナル映像と、再生用ＰＣによって再生され、モニタＢによって表示される変換後映像Ａ乃至Ｃとを目視で比較することによって、かかる品質チェックは行われる。
【０００７】
ここで、品質が良好であると判定された場合、ステップ１００５において、かかる広告映像が、配信用映像データとして、所定の配信方式でブロードバンドネットワークを介して配信される。
【０００８】
【非特許文献１】
ユニ通信社発行、「ＣＭ通信」、第３７１０号、平成１５年４月３日
【０００９】
【発明が解決しようとする課題】
しかしながら、従来の品質チェックの方法では、上述のステップ１００４において、品質が良好でないと判定された場合、この原因が、編集時の問題によるものか撮影時の問題によるものかによって対応策は異なるが、いずれにせよ再編集又は再撮影が困難なことからこの修正は困難であるという問題点があった。
【００１０】
また、従来の品質チェックの方法では、モニタＡによって表示されるオリジナル映像と、再生用ＰＣによって再生され、モニタＢによって表示される変換後映像Ａ乃至Ｃとの間に同期が取れていないため、正確に双方の映像を比較することができないという問題点があった。
【００１１】
また、従来の品質チェックの方法では、再生用ＰＣ及びモニタＢは、様々な方法によって変換処理を施された変換後映像Ａ乃至Ｃを、その都度切り換えて再生及び表示しなければならないという問題点があった。
【００１２】
そこで、本発明は、以上の点に鑑みてなされたもので、実際に変換処理を施す前の編集時又は撮影時に、編集又は撮影された広告映像（オリジナル映像）と変換処理を施された広告映像（変換後映像）とを比較することを可能とする再生表示システム及びプログラムを提供することを目的とする。
【００１３】
【課題を解決するための手段】
本発明の第１の特徴は、ネットワークを介して配信するために映像情報を変換した結果を再生する再生表示システムであって、前記映像情報に対して、入力された該映像情報の配信方式に応じた所定の変換処理を施す変換処理部と、前記映像情報と、前記所定の変換処理を施した変換後映像情報とを同期させて出力する出力部とを具備することを要旨とする。
【００１４】
かかる発明によれば、出力部が、映像情報と変換後映像情報とを同期させて出力し、モニタが、出力された映像情報と変換後映像情報とに基づいて、オリジナル映像と変換後映像を同期させて表示するため、実際に変換処理を施す前の編集時又は撮影時に、正確に双方の映像を比較することができる。
【００１５】
本発明の第１の特徴において、前記変換処理部が、前記配信方式と、前記映像情報を構成する画像情報の劣化効果とを関連付けて記憶しており、前記所定の変換処理が、入力された前記配信方式に応じて、前記画像情報に対して、前記画像情報の劣化効果を付加する処理であることが好ましい。
【００１６】
また、本発明の第１の特徴において、前記変換処理部が、前記配信方式と、前記映像情報を構成する音声情報の劣化効果とを関連付けて記憶しており、前記所定の変換処理が、入力された前記配信方式に応じて、前記音声情報に対して、前記音声情報の劣化効果を付加する処理であることが好ましい。
【００１７】
かかる発明によれば、入力された映像情報を実際に圧縮することなく、配信方式に応じた画像情報又は音声情報の劣化効果を付加することによって、実際に変換処理を施す前の編集時又は撮影時に、実際の変換処理による影響を考慮した映像情報を擬似的に再生することができる。
【００１８】
また、かかる発明によれば、入力された映像情報の圧縮に必要な演算処理を不要とするため、早期に変換後映像を表示することができる。
【００１９】
また、本発明の第１の特徴において、入力された前記映像情報の表示サイズを変更するサイズ変更部を具備し、前記変換処理部が、表示サイズを変更された前記映像情報に対して、前記配信方式に応じた前記所定の変換処理を施し、前記出力部が、表示サイズを変更された前記映像情報と前記変換後映像情報とを同期させて出力することが好ましい。
【００２０】
かかる発明によれば、出力部が、表示サイズを縮小した映像情報及び変換後映像情報を出力するため、１台のモニタで双方の映像を表示することができる。
【００２１】
また、本発明の第１の特徴において、入力された前記配信方式に応じて、前記画像情報の劣化率を演算する演算部を具備し、前記出力部が、さらに前記画像情報の劣化率を出力することが好ましい。
【００２２】
また、本発明の第１の特徴において、入力された前記配信方式に応じて、前記音声情報の劣化率を演算する演算部を具備し、出力部が、さらに前記音声情報の劣化率を出力することが好ましい。
【００２３】
また、本発明の第１の特徴において、変更された前記映像情報の表示サイズに応じて、前記映像情報量の減少率を演算する演算部を具備し、前記出力部が、さらに前記映像情報量の減少率を出力することが好ましい。
【００２４】
かかる発明によれば、出力部が、演算部によって演算された各種情報（画像情報又は音声情報の劣化率や、映像情報量の減少率等）を出力するため、モニタ上で表示されている変換後映像の品質を数値によって確認することができる。
【００２５】
また、本発明の第１の特徴において、前記変換処理部が、前記映像情報に対して、複数の前記配信方式に応じた複数の前記所定の変換処理を施し、前記出力部が、複数の前記所定の変換処理を施した複数の前記変換後映像情報を出力することが好ましい。
【００２６】
かかる発明によれば、出力部が、複数の変換後映像情報を出力するため、１度に複数の配信方式で配信された映像を擬似的に再生することができる。
【００２７】
また、本発明の第１の特徴において、前記配信方式が、前記映像情報の圧縮方式と、前記ネットワーク上のデータレートと、前記映像情報を構成する画像情報のフレームレートとを含むことが好ましい。
【００２８】
また、本発明の第１の特徴において、前記配信方式が、さらに、前記映像情報を構成する音声情報のサンプリングレートを含むことが好ましい。
【００２９】
本発明の第２の特徴は、コンピュータを、ネットワークを介して配信するために映像情報を変換した結果を再生表示するように動作させるプログラムであって、前記映像情報に対して、入力された該映像情報の配信方式に応じた所定の変換処理を施す工程と、前記映像情報と、前記所定の変換処理を施した変換後映像情報とを同期させて出力する工程とを有することを要旨とする。
【００３０】
【発明の実施の形態】
（本発明の第１の実施形態に係る再生表示システムの構成）
本発明の第１の実施形態に係る再生表示システムの構成について、図１乃至図３を参照して説明する。図１に、本実施形態に係る再生表示システムは、第１のモニタ１と、第２のモニタ２と、変換結果予測システム２０とを具備している。ここで、本実施形態に係る再生表示システムは、ネットワークを介して配信するために映像情報を変換した結果を再生表示するものである。
【００３１】
第１のモニタ１は、撮影カメラ８と編集システム９と変換結果予測システム２０とに接続されており、撮影カメラ８によって撮影されている撮影時表示映像や、編集システム９によって編集されている編集時表示映像を表示するものである。また、第１のモニタ１は、撮影カメラ８からの撮影時表示映像を表示するための映像情報や、編集システム９からの編集時表示映像を表示するための映像情報を、変換結果予測システム２０に送信する。ここで、編集システム９は、撮影カメラ８により撮影された映像情報に対して、タイトルを付す処理や合成処理等の編集処理を施すものである。
【００３２】
第２のモニタ２は、変換結果予測システム２０から出力された情報に基づいて、領域Ｘに変換前縮小映像を表示し、領域Ｙに変換後縮小圧縮映像を表示し、領域Ｚに数値表示を行うものである。
【００３３】
したがって、実際に変換処理を施す前の編集時又は撮影時に、編集者又は撮影者は、第２のモニタ２上の表示画面を目視することによって、編集又は撮影された広告映像（オリジナル映像）と変換処理を施された広告映像（変換後映像）とを比較することによって、変換後映像の品質をチェックすることができるため、品質不良と判定した場合に、容易に再編集や最撮影を行うことができる。
【００３４】
例えば、撮影者が、撮影カメラ８によって、素材として、あまりに動きが激しいものや、波や森等のあまりに変化が細かいものを撮影した場合、撮影時表示映像を再生表示するための映像情報が圧縮処理に適さなくなり、変換後映像の品質が劣化する場合がある。かかる場合、撮影者は、第２のモニタ２上の表示画面を見ながら、撮影カメラ８の移動の制御や、撮影画面の大きさの調整等によって、変換後映像の品質の劣化を防ぐことができる。
【００３５】
また、編集者が、編集システム９によって、細かいカットつなぎを採用したり、多くのタイトルを用いたりした場合、編集時表示映像を再生表示するための映像情報が圧縮処理に適さなくなり、変換後映像の品質が劣化する場合がある。かかる場合、編集者は、第２のモニタ２上の表示画面を見ながら、編集システム９において、カットつなぎ方法を変更したり、用いるタイトルを変更したりすることによって、変換後映像の品質の劣化を防ぐことができる。
【００３６】
変換結果予測システム２０は、ネットワークを介して配信するために、第１のモニタ１からの映像情報を変換した結果を再生し、第２のモニタ２上に表示するための映像情報を出力するものである。
【００３７】
図２に示すように、変換結果予測システム２０は、映像入力部２１と、配信画像サイズ入力部２２と、配信方式入力部２３と、サイズ変更部２４と、劣化係数データベース２５と、劣化係数取得部２６と、想定画質劣化効果付与部２７と、想定音質劣化効果付与部２８と、同期信号抽出部２９と、バッファ部３０と、数値演算部３１と、映像出力部３２とを具備している。
【００３８】
映像入力部２１は、第１のモニタ１からの映像情報を入力するためのものである。ここで、入力される映像情報は、第１のモニタ１上に編集時（撮影時）表示画像を表示するための情報である。映像入力部２１は、入力された映像情報を、サイズ変更部２４に送信する。
【００３９】
配信画像サイズ入力部２２は、第２のモニタ２上の領域Ｘ又は領域Ｙに表示する変換前縮小映像又は変換後縮小圧縮映像のサイズを入力するためのものである。ここで、変換前縮小映像又は変換後縮小圧縮映像のサイズは、６４０×４８０等のピクセル値を用いたサイズそのものの指定であってもよいし、入力された映像情報に対する縮小率や拡大率であってもよい。
【００４０】
配信方式入力部２３は、映像情報の配信方式を入力するためのものである。例えば、映像情報の配信方式には、映像情報の圧縮方式や、映像情報の配信に用いられるデータレートや、映像情報を構成する画像情報のフレームレートや、映像情報を構成する音声情報のサンプリングレート等が含まれる。
【００４１】
サイズ変更部２４は、配信画像サイズ入力部２２を介して入力されたサイズに基づいて、映像入力部２１を介して入力された映像情報の表示サイズを変更するものである。具体的には、サイズ変更部２４は、当該映像情報の表示サイズを縮小する際に、当該映像情報を構成する画像情報から所定量の画素数を間引く。
【００４２】
劣化係数データベース２５は、圧縮方式毎の映像情報（画像情報又は音声情報）の劣化具合を示す劣化係数を記憶するものである。図３（ａ）及び図３（ｂ）に、劣化係数データベース２５が記憶する情報の一例を示す。
【００４３】
例えば、図３（ａ）に示すように、劣化係数データベース２５は、画像情報について、「圧縮方式」と「データレート」と「フレームレート」と「劣化係数」とを関連付けて記憶する。
【００４４】
「圧縮方式」には、例えば、ＭＰＥＧ−２や、ＭＰＥＧ−４や、ＱｕｉｃｋＴｉｍｅや、ＲｅａｌＭｅｄｉａや、ＷｉｎｄｏｗｓＭｅｄｉａ等が設定され得る。また、高速な「データレート」が設定された場合、第２のモニタ２上に明瞭な映像が表示され、低速な「データレート」が設定された場合、第２のモニタ２上に明瞭でない映像が表示される。また、高速な「フレームレート」が設定された場合、第２のモニタ２上に滑らかに切り替わる映像が表示され、低速な「フレームレート」が設定された場合、第２のモニタ２上に滑らかに切り替わらない映像が表示される。
【００４５】
また、例えば、図３（ｂ）に示すように、劣化係数データベース２５は、音声情報について、「圧縮方式」と「データレート」と「サンプリングレート」と「劣化係数」とを関連付けて記憶する。
【００４６】
劣化係数取得部２６は、配信方式入力部２３を介して入力された映像情報の配信方式（映像情報の圧縮方式や、映像情報の配信に用いられるデータレートや、映像情報を構成する画像情報のフレームレートや、映像情報を構成する音声情報のサンプリングレート等）に基づいて、劣化係数データベース２５から、画像情報又は音声情報用の劣化係数を取得するものである。
【００４７】
想定画質劣化効果付与部２７は、配信方式入力部２３を介して入力された映像情報の配信方式に応じて、サイズ変更部２４から送信された映像情報を構成する画像情報に対して、所定の画像情報の劣化効果を付加することによって、変換後縮小圧縮映像を表示するための変換後映像情報を構成する画像情報を生成する。
【００４８】
また、想定音質劣化効果付与部２７は、配信方式と、上述の画像情報の劣化効果とを関連付けて記憶している。ここで、画像情報に対して所定の画像情報の劣化効果を付加する処理は、擬似的に当該画像情報に対して圧縮処理等の所定の変換処理を施した結果を示すために、例えば、画像情報に対してノイズを加える処理や、輪郭をぼやけさせる等の画像情報の明瞭度を劣化させる処理や、画像情報に含まれる色情報や輝度情報を喪失させる処理等である。
【００４９】
想定音質劣化効果付与部２８は、配信方式入力部２３を介して入力された映像情報の配信方式に応じて、サイズ変更部２４から送信された映像情報を構成する音声情報に対して、所定の音声情報の劣化効果を付加することによって、変換後縮小圧縮映像を表示するための変換後映像情報を構成する音声情報を生成する。
【００５０】
また、想定音質劣化効果付与部２８は、配信方式と、上述の音声情報の劣化効果とを関連付けて記憶している。ここで、音声情報に対して所定の音声情報の劣化効果を付加する処理は、擬似的に当該音声情報に対して圧縮処理等の所定の変換処理を施した結果を示すために、例えば、音声情報に対してノイズを加える処理等含む。
【００５１】
なお、想定音質劣化効果付与部２７及び想定音質劣化効果付与部２８は、サイズ変更部２４からの映像情報を構成する画像情報又は音声情報を圧縮するわけではないため、想定音質劣化効果付与部２７及び想定音質劣化効果付与部２８から出力される画像情報及び音声情報の情報量は、想定音質劣化効果付与部２７及び想定音質劣化効果付与部２８に入力された画像情報及び音声情報の情報量と比べて低減されていない。
【００５２】
同期信号抽出部２９は、想定音質劣化効果付与部２７及び想定音質劣化効果付与部２８から送信された画像情報及び音声情報から、タイムコード等の同期信号を抽出してバッファ部３０に送信するものである。また、同期信号抽出部２９は、受信した画像情報及び音声情報に基づいて変換後映像情報を構成して映像出力部３２に送信する。
【００５３】
バッファ部３０は、サイズ変更部２４からの映像情報を蓄積しているものであって、同期信号抽出部２９から送信された同期信号に基づいて、所定のタイミングで蓄積している映像情報を映像出力部３２に送信するものである。
【００５４】
数値演算部３１は、配信画像サイズ入力部２２を介して入力されたサイズや、劣化係数取得部２６から送信された劣化係数に基づいて、所定の数値を演算するものである。例えば、数値演算部３１は、映像情報を構成する画像情報の劣化率や、映像情報を構成する音声情報の劣化率や、映像情報量の減少率等を演算する。
【００５５】
ここで、数値演算部３１は、配信画像サイズ入力部２２を介して入力されたサイズに基づいて、映像情報量の減少率、すなわち、オリジナル映像情報の画素数／サイズ変更（縮小）後の映像情報の画素数を算出する。
【００５６】
また、数値演算部３１は、例えば、上述の画像情報の劣化率と映像情報量の減少率とを乗算した画像劣化度数と、上述の音声情報の劣化率とを、総合評価として算出するように構成されていてもよい。
【００５７】
映像出力部３２は、同期信号抽出部２９から送信された変換後映像情報と、バッファ部３０から送信された映像情報とを同期させて、第２のモニタ２に対して出力するものである。また、映像出力部３２は、数値演算部３１により演算された各種数値を第２のモニタ２に対して出力する。
【００５８】
本実施形態では、サイズ変更部２４と想定画質劣化効果付与部２７と想定音質劣化効果付与部２８とが、映像入力部２１を介して入力された映像情報に対して、配信方式入力部２３を介して入力された映像情報の配信方式に応じた所定の変換処理を施す変換処理部を構成する。
【００５９】
（本発明の第１の実施形態に係る再生表示システムの動作）
本発明の第１の実施形態に係る再生表示システムの動作について、図４乃至図６を参照して説明する。
【００６０】
図４は、本実施形態に係る再生表示システムの変換結果予測システム２０が、第２のモニタ２上の領域Ｘに表示される変換前縮小映像を表示するための情報を生成する動作を示す。
【００６１】
図４に示すように、ステップ４０１において、撮影時又は編集時の映像情報が、第１のモニタ１を介して映像入力部２１に入力される。そして、映像入力部２１が、入力された映像情報をサイズ変更部２４に送信する。
【００６２】
ステップ４０２において、配信画像サイズ入力部２２において、変換前縮小映像及び変換後縮小圧縮映像のサイズを示す配信画像サイズが入力される。そして、配信画像サイズ入力部２２が、入力された配信画像サイズをサイズ変更部２４に送信する。
【００６３】
ステップ４０３において、サイズ変更部２４が、入力された映像情報及び配信画像サイズに基づいて、当該映像情報のサイズを変更して、第２のモニタ２上の領域Ｘに変換前縮小映像を表示するための映像情報を生成して、バッファ部３０に送信する。
【００６４】
ステップ４０４において、バッファ部３０は、サイズ変更部２４から送信された映像情報をバッファリングする。ステップ４０５において、バッファ部３０は、同期信号抽出部２９によって同期信号が抽出されたか否かについて監視する。
【００６５】
バッファ部３０は、同期信号抽出部２９からの同期信号を検出した場合、ステップ４０６において、バッファリングしている映像情報を所定のタイミングで映像出力部３２に送信する。映像出力部３２は、バッファ部３０から送信された映像情報を、同期信号抽出部２９から送信された変換後映像情報と同期させて、第２のモニタ２に出力する。
【００６６】
また、図５は、本実施形態に係る再生表示システムの変換結果予測システム２０が、第２のモニタ２上の領域Ｙに表示される変換後縮小圧縮映像を表示するための情報を生成する動作を示す。
【００６７】
図５に示すように、ステップ５０１において、配信方式入力部２３において、映像情報の配信方式が入力される。そして、配信方式入力部２３が、入力された映像情報の配信方式を劣化係数取得部２６に送信する。
【００６８】
ステップ５０２において、劣化係数取得部２６が、配信方式入力部２３から送信された映像情報の配信方式に応じて、劣化係数データベース２５から、当該映像情報の配信方式に関連する劣化係数を取得する。
【００６９】
ステップ５０３において、想定画質劣化効果付与部２７が、劣化係数取得部２６から送信された劣化係数に基づいて、サイズ変更部２４から送信された映像情報（変換前縮小映像を表示するための映像情報）を構成する画像情報に対して、所定の画像情報の劣化効果を付与すると共に、想定音質劣化効果付与部２８が、劣化係数取得部２６から送信された劣化係数に基づいて、サイズ変更部２４から送信された映像情報（変換前縮小映像を表示するための映像情報）を構成する音声情報に対して、所定の音声情報の劣化効果を付与する。ここで、想定画質劣化効果付与部２７及び想定音質劣化効果付与部２８は、当該映像情報を構成する画像情報及び音声情報に対して実際の圧縮処理は行わない。
【００７０】
同期信号抽出部２９は、ステップ５０４において、想定画質劣化効果付与部２７及び想定音質劣化効果付与部２８から送信された画像情報及び音声情報から、所定の同期信号を抽出してバッファ部３０に送信し、ステップ５０５において、当該画像情報及び音声情報から構成される変換後映像情報を映像出力部３２に出力する。ここで、映像出力部３２は、バッファ部３０から送信された映像情報と、同期信号抽出部２９から送信された変換後映像情報とを同期させて、第２のモニタ２に出力する。
【００７１】
また、図６は、本実施形態に係る再生表示システムの変換結果予測システム２０が、第２のモニタ２上の領域Ｚに表示される数値を表示するための情報を生成する動作を示す。
【００７２】
図６に示すように、ステップ６０１において、数値演算部３１が、配信画像サイズ入力部２２を介して入力された配信画像サイズと、劣化係数取得部２６によって取得された劣化係数とを取得する。
【００７３】
ステップ６０２において、数値演算部３１が、上述の配信画像サイズと劣化係数とに基づいて、映像情報量の縮小率や、想定画質劣化効果付与部２７における画像変換による画像情報の劣化率や、想定音質劣化効果付与部２８における音声変換による音声情報の劣化率等の各種数値を算出する。
【００７４】
ステップ６０３において、数値演算部３１が、算出した各種数値を映像出力部３２に出力し、映像出力部３２が、当該数値を、第２のモニタ２に対して出力する。
【００７５】
（本発明の第１の実施形態に係る再生表示システムの作用・効果）
本実施形態に係る再生表示システムによれば、映像出力部３２が、映像情報と変換後映像情報とを同期させて出力し、第２のモニタ２が、出力された映像情報と変換後映像情報とに基づいて、変換前縮小映像（オリジナル映像）と変換後縮小圧縮映像（変換後映像）とを同期させて表示するため、実際に変換処理を施す前の編集時又は撮影時に、正確に双方の映像を比較することができる。
【００７６】
また、本実施形態に係る再生表示システムによれば、入力された映像情報を実際に圧縮することなく、配信方式に応じた画像情報又は音声情報の劣化効果を付加することによって、実際に変換処理を施す前の編集時又は撮影時に、実際の変換処理による影響を考慮した映像情報を擬似的に再生することができる。
【００７７】
また、本実施形態に係る再生表示システムによれば、入力された映像情報の圧縮に必要な演算処理を不要とするため、早期に変換後映像を表示することができる。
【００７８】
また、本実施形態に係る再生表示システムによれば、映像出力部３２が、表示サイズを縮小した映像情報及び変換後映像情報を出力するため、１台のモニタで双方の映像を表示することができる。
【００７９】
また、本実施形態に係る再生表示システムによれば、映像出力部３２が、数値演算部３１によって演算された各種情報（画像情報又は音声情報の劣化率や、映像情報量の減少率等）を出力するため、第２のモニタ２上で表示されている変換後映像の品質を数値によって確認することができる。
【００８０】
（本発明の第２の実施形態に係る再生表示システム）
図７を参照して、本発明の第２の実施形態に係る再生表示システムについて説明する。本実施形態に係る再生表示システムは、変換結果予測システム２０に、第２のモニタ２及び第３のモニタ３が接続される構成を有する。
【００８１】
本実施形態では、第２のモニタ２が、変換前映像を表示し、第３のモニタ３が、変換後圧縮映像及び各種数値を表示するように構成されている。
【００８２】
本実施形態に係る変換結果予測システム２０の映像出力部３２は、第２のモニタ２に対して、変換前映像を表示するための映像情報を出力すると共に、第３のモニタ３に対して、変換後圧縮映像を表示するための変換後映像情報及び各種数値を表示するための情報を出力するように構成されている。
【００８３】
また、本実施形態に係る変換結果予測システム２０では、映像入力部２１を介して入力された映像情報についてのサイズ変更は行われない。この結果、第２のモニタ２及び第３のモニタ３において、画素数が間引きされていない変換前映像及び変換後圧縮映像を表示することができるため、ブロードバンドネットワークを介した配信後にコンピュータ等で再生表示される映像の品質をより正確にチェックすることができる。
【００８４】
（本発明の第３の実施形態に係る再生表示システム）
図８を参照して、本発明の第３の実施形態に係る再生表示システムについて説明する。図８に、本実施形態に係る再生表示システムにおける第２のモニタ２上の表示内容を示す。
【００８５】
本実施形態では、第２のモニタ２は、領域Ｘに、変換前縮小映像を表示すると共に、領域Ｙ１及びＺ１に、第１の配信方式に応じた所定の変換処理を施した変換後縮小圧縮映像及びこれに関する数値を表示し、領域Ｙ２及びＺ２に、第２の配信方式に応じた所定の変換処理を施した変換後縮小圧縮映像及びこれに関する数値を表示するように構成されている。
【００８６】
すなわち、本実施形態に係る再生表示システムにおける変換結果予測システム２０は、複数の想定画質劣化効果付与部２７及び想定音質劣化効果付与部２８を具備し、サイズ変更部２４から送信された映像情報に対して、複数の配信方式に応じた複数の所定の変換処理を施すように構成されている。また、映像出力部３２は、複数の想定画質劣化効果付与部２７及び想定音質劣化効果付与部２８によって複数の所定の変換処理を施した複数の変換後映像情報を、第２のモニタ２に対して出力するように構成されている。
【００８７】
かかる発明によれば、映像出力部３２が、複数の変換後映像情報を出力するため、第２のモニタ２において、１度に複数の配信方式で配信された映像を擬似的に再生することができる。
【００８８】
（本発明の変更例に係る再生表示システム）
図９を参照して、本発明の変更例について説明する。
【００８９】
本変更例では、コンピュータ１５に、本実施形態に係る再生表示システムの機能を実行させるためのプログラム（以下、再生表示プログラム）を、コンピュータ読み取り可能な記録媒体に記録することができる。
【００９０】
このコンピュータ読み取り可能な記録媒体は、図９に示すように、例えば、フロッピィーディスク１６、コンパクトディスク１７、ＩＣチップ１８、カセットテープ１９等が挙げられる。このような再生表示プログラムを記録したコンピュータ読み取り可能な記録媒体によれば、再生表示プログラムの保存、運搬、販売等を容易に行うことができる。
【００９１】
また、本変更例では、電気通信回線を通じて、本実施形態に係る再生表示システムの機能を実行させるためのプログラムを提供可能なサーバ装置を設置するように構成されていてもよい。
【００９２】
【発明の効果】
本発明によれば、実際に変換処理を施す前の編集時又は撮影時に、編集又は撮影された広告映像（オリジナル映像）と変換処理を施された広告映像（変換後映像）とを比較することを可能とする再生表示システム及びプログラムを提供することができる。
【図面の簡単な説明】
【図１】本発明の第１の実施形態に係る再生表示システムの全体構成図である。
【図２】本発明の第１の実施形態に係る再生表示システムにおける変換結果予測システムの機能ブロック図である。
【図３】本発明の第１の実施形態に係る再生表示システムにおける変換結果予測システムの劣化係数データベースによって管理される情報の一例を示す図である。
【図４】本発明の第１の実施形態に係る再生表示システムによって、変換前縮小映像を表示する動作を示すフローチャートである。
【図５】本発明の第１の実施形態に係る再生表示システムによって、変換後縮小圧縮映像を表示する動作を示すフローチャートである。
【図６】本発明の第１の実施形態に係る再生表示システムによって、各種数値を表示する動作を示すフローチャートである。
【図７】本発明の第２の実施形態に係る再生表示システムの全体構成図である。
【図８】本発明の第３の実施形態に係る再生表示システムにおけるモニタ上の表示画面を示す図である。
【図９】本発明の変更例を示す図である。
【図１０】従来技術において、映像情報を配信する動作を示す図である。
【図１１】従来技術において、変換処理を施した映像情報の品質をチェックする方法を示す図である。
【符号の説明】
１、２、３…モニタ
８…撮影カメラ
９…編集システム
２０…変換結果予測システム
２１…映像入力部
２２…配信画像サイズ入力部
２３…配信方式入力部
２４…サイズ変更部
２５…劣化係数データベース
２６…劣化係数取得部
２７…想定画質劣化効果付与部
２８…想定音質劣化効果付与部
２９…同期信号抽出部
３０…バッファ部
３１…数値演算部
３２…映像出力部
【図１】
2005026986.tif 000003
【図２】
2005026986.tif 000004
【図３】
2005026986.tif 000005
【図４】
2005026986.tif 000006
【図５】
2005026986.tif 000007
【図６】
2005026986.tif 000008
【図７】
2005026986.tif 000009
【図８】
2005026986.tif 000010
【図９】
2005026986.tif 000011
【図１０】
2005026986.tif 000012
【図１１】
2005026986.tif 000013